(57)【要約】  内視鏡電源供給システム（１）は、内視鏡（２）と、内視鏡（２）が着脱自在に接続される筐体装置（３）とを有する。筐体装置（３）は、出力可能な電力が互いに異なる複数のＬＤＯレギュレータ（３２１、３２２、３２３、３２４）と、ＬＤＯレギュレータ（３２１、３２２、３２３、３２４）の出力段のそれぞれに設けられ、バックトゥバック接続された２つのＦＥＴからなるスイッチと、複数のＬＤＯレギュレータ（３２１、３２２、３２３、３２４）の中から内視鏡（２）の動作に必要なＬＤＯレギュレータを選択し、選択したＬＤＯレギュレータにおいて生成される電力が内視鏡（２）に向けて出力されるようにスイッチを制御する制御部（３３）とを備える。
2016208685.tif 000002
【特許請求の範囲】
【請求項１】
被写体を撮像する撮像部を備える内視鏡と、
前記内視鏡が着脱自在に接続される筐体装置と、
前記筐体装置に設けられ、出力可能な電力が互いに異なる複数の電源部と、
前記筐体装置における前記複数の電源部の出力段のそれぞれに設けられ、バックトゥバック接続された２つのＦＥＴからなるスイッチと、
前記筐体装置に設けられ、複数の電源部の中から前記内視鏡の動作に必要な電源部を選択し、選択した電源部において生成される電力が前記内視鏡に向けて出力されるように前記スイッチを制御する制御部と、
を具備する内視鏡電源供給システム。
【請求項２】
前記内視鏡に設けられ、前記内視鏡の種別の情報を記憶した情報メモリをさらに具備し、
前記制御部は、前記種別の情報に応じて前記複数の電源部の中から前記内視鏡の動作に必要な電力を出力するのに必要な電源部を選択する請求項１に記載の内視鏡電源供給システム。
【請求項３】
前記情報メモリは、前記内視鏡に設けられた前記撮像部を構成する撮像素子の種別を表す情報を記憶している請求項２に記載の内視鏡電源供給システム。
【請求項４】
前記内視鏡は、前記内視鏡の種別に対応した抵抗値を有する抵抗をさらに備え、
前記筐体装置は、前記抵抗の抵抗値を読み取り、該読み取った抵抗値に応じて前記複数の電源部の中から前記内視鏡の動作に必要な電力を出力するのに必要な電源部を選択する請求項１に記載の内視鏡電源供給システム。
【請求項５】
前記抵抗は、前記内視鏡に設けられた前記撮像部を構成する撮像素子の種別に対応した抵抗値である請求項４に記載の内視鏡電源供給システム。
【請求項６】
前記内視鏡に設けられ、前記筐体装置から出力された電力が前記内視鏡の動作に対する適正電力であるかを判定する判定部をさらに具備し、
前記判定部は、前記筐体装置から出力された電力が前記内視鏡の動作に対する適正電力でないと判定した場合に前記筐体装置に対して適正電力を出力するように要求し、
前記制御部は、前記要求に応じて前記複数の電源部の中から適正電力を出力する電源部を選択する請求項１に記載の内視鏡電源供給システム。
【請求項７】
前記複数の電源部のそれぞれは可変レギュレータである請求項１に記載の内視鏡電源供給システム。
【請求項８】
前記複数の電源部のそれぞれは、ＬＤＯレギュレータである請求項１に記載の内視鏡電源供給システム。
【発明の詳細な説明】
【技術分野】
【０００１】
本発明は、内視鏡電源供給システムに関する。
【背景技術】
【０００２】
内視鏡システムは、内視鏡と、内視鏡が装着される筐体装置とを有している。近年の内視鏡には、用途に応じた様々な電子素子が搭載されている。内視鏡に内蔵された各種の電子素子は、筐体装置からの電力供給を受けて動作する。近年、内視鏡内の経年劣化等による電圧低下に対応したり、用途に応じた種々の内視鏡に対応したりできるように、筐体装置の電源部から出力される電力の大きさを可変にした内視鏡電源供給システムが提案されてきている。例えば、日本国特開２０１０−６６４０９号公報の内視鏡装置は、内視鏡の挿入部のＩＤとケーブルのＩＤとに応じて内視鏡に供給する電力の大きさを決定するようにしている。
【発明の概要】
【０００３】
日本国特開２０１０−６６４０９号公報の技術では、内視鏡の挿入部のＩＤとケーブルのＩＤとに応じて複数のレギュレータのうちのいくつかを適宜に選択することによって、内視鏡に供給されるべき電力が生成される。しかしながら、日本国特開２０１０−６６４０９号公報の技術では、レギュレータを選択するための構成については特に言及がない。
【０００４】
本発明は、前記の事情に鑑みてなされたもので、複数の電源を有する内視鏡電源供給システムにおいて、最適な構成で電源の選択をすることが可能な内視鏡電源供給システムを提供することを目的とする。
【０００５】
前記の目的を達成するために、本発明の一態様の内視鏡電源供給システムは、被写体を撮像する撮像部を備える内視鏡と、前記内視鏡が着脱自在に接続される筐体装置と、前記筐体装置に設けられ、出力可能な電力が互いに異なる複数の電源部と、前記筐体装置における前記複数の電源部の出力段のそれぞれに設けられ、バックトゥバック接続された２つのＦＥＴからなるスイッチと、前記筐体装置に設けられ、複数の電源部の中から前記内視鏡の動作に必要な電源部を選択し、選択した電源部において生成される電力が前記内視鏡に向けて出力されるように前記スイッチを制御する制御部とを具備する。
【図面の簡単な説明】
【０００６】
【図１】図１は、本発明の第１の実施形態に係る内視鏡電源供給システムの構成を示すブロック図である。
【図２】図２は、第１の実施形態の電源供給部における内視鏡への電力出力に関する構成を示す図である。
【図３】図３は、本発明の第２の実施形態に係る内視鏡電源供給システムの構成を示すブロック図である。
【図４】図４は、第２の実施形態の電源供給部における内視鏡への電力出力に関する構成を示す図である。
【発明を実施するための形態】
【０００７】
以下、図面を参照して本発明の実施形態を説明する。
【０００８】
［第１の実施形態］
まず、本発明の第１の実施形態について説明する。図１は、本発明の第１の実施形態に係る内視鏡電源供給システムの構成を示すブロック図である。内視鏡電源供給システム１は、内視鏡２と、筐体装置３とを有している。内視鏡２は、被写体である被検体の体内を観察するための撮像部を有している。筐体装置３は、内視鏡２に搭載されている電子素子を駆動するための電力を出力する。以下、内視鏡電源供給システム１のそれぞれのブロックについて説明する。
【０００９】
内視鏡２は、挿入部２１と、ケーブル２２とを有している。挿入部２１は、内視鏡２において被検体の体内に挿入されるスコープ部分である。挿入部２１の先端には、対物レンズ２１１と、撮像素子２１２とが設けられている。対物レンズ２１１は、被写体からの像を撮像素子２１２に結像させるための光学系である。対物レンズ２１１とともに撮像部を構成する撮像素子２１２は、内視鏡２に搭載される電子素子の１つである。撮像素子２１２は、２次元状に配置された画素を有している。それぞれの画素は、例えばフォトダイオードであり、対物レンズ２１１を介して入射した光の量に応じた電気信号（画像信号）を生成する。
【００１０】
また、内視鏡２は、ＩＤメモリ２１３を有している。ＩＤメモリ２１３は、例えばフラッシュメモリであり、内視鏡２の種別を示すＩＤ情報を記憶している。
【００１１】
ケーブル２２は、図示しないコネクタを介して筐体装置３に接続されている。このケーブル２２の内部には、電源線２２２ａ、出力信号線２２２ｂ、通信線２２２ｃが設けられている。電源線２２２ａは、撮像素子２１２に接続されているとともに、挿入部２１が図示しないコネクタを介して筐体装置３に接続された際に、筐体装置３の電源供給部３２に接続されるように構成されている。この電源線２２２ａは、筐体装置３で生成された電力を撮像素子２１２に供給するための信号線である。出力信号線２２２ｂは、撮像素子２１２に接続されているとともに、挿入部２１が図示しないコネクタを介して筐体装置３に接続された際に、筐体装置３の信号処理部３１に接続されるように構成されている。この出力信号線２２２ｂは、撮像素子２１２で生成された画像信号を信号処理部３１に対して伝送するための信号線である。通信線２２２ｃは、ＩＤメモリ２１３に接続されているとともに、挿入部２１が図示しないコネクタを介して筐体装置３に接続された際に、筐体装置３の制御部３３に接続されるように構成されている。通信線２２２ｃは、ＩＤ情報等の情報を通信するための信号線である。
【００１２】
筐体装置３は、内視鏡２を着脱することが可能に構成され、内視鏡２の制御等の処理を行う。例えば、筐体装置３は、内視鏡２で生成された画像信号を処理するビデオプロセッサである。この場合、筐体装置３は、信号処理部３１と、電源供給部３２と、制御部３３とを有している。筐体装置３の外部には操作部３４が設けられている。また、筐体装置３は、モニタ３５に接続されている。
【００１３】
信号処理部３１は、撮像素子２１２からの画像信号に対して種々の信号処理を施す。例えば、信号処理部３１は、画像信号の輝度特性や色特性をモニタ３５の表示に適するように補正する信号処理を行う。
【００１４】
電源供給部３２は、筐体装置３に設けられている電子素子及び内視鏡２に設けられている電子素子を駆動するための電力を出力する。電源供給部３２の詳細については後で説明する。
【００１５】
制御部３３は、例えばＦＰＧＡ（Field Programmable Gate Array）で構成され、筐体装置３の動作を制御する。また、制御部３３は、内視鏡２のＩＤメモリ２１３から内視鏡２のＩＤ情報を読み取り、読み取ったＩＤ情報に従って内視鏡２毎の個別の制御を行う。この制御は、内視鏡２の電源管理を含む。
【００１６】
操作部３４は、使用者が筐体装置３の操作をするための操作部材を含む。この操作部材は、ボタン又はスイッチのような操作部材であっても良いし、タッチパネルのような操作部材であっても良い。操作部３４の操作部材の操作がされた場合には、制御部３３は、操作部３４の操作に応じた各種の処理を制御する。
【００１７】
モニタ３５は、例えば液晶ディスプレイのようなモニタである。モニタ３５は、信号処理部３１の信号処理の結果として生成された画像等を、制御部３３の制御に従って表示する。
【００１８】
次に、電源供給部３２について説明する。図２は、第１の実施形態の電源供給部３２における内視鏡２への電力出力に関する構成を示す図である。電源供給部３２は、複数の電源部である複数のＬＤＯレギュレータ（Low Dropout regulator：低損失レギュレータ）を有している。図２の例では、電源供給部３２は、４つのＬＤＯレギュレータ３２１、３２２、３２３、３２４を有している。
【００１９】
本実施形態におけるＬＤＯレギュレータは、予め定められた固定の電圧を出力する固定電圧出力ＬＤＯレギュレータである。ＬＤＯレギュレータ３２１は、入力電圧を電圧Ｖ１に変換して出力する。ＬＤＯレギュレータ３２１の出力電流は、Ｉ１である。ＬＤＯレギュレータ３２２は、入力電圧を電圧Ｖ２に変換して出力する。ＬＤＯレギュレータ３２２の出力電流は、Ｉ２である。ＬＤＯレギュレータ３２３は、入力電圧を電圧Ｖ３に変換して出力する。ＬＤＯレギュレータ３２３の出力電流は、Ｉ３である。ＬＤＯレギュレータ３２４は、入力電圧を電圧Ｖ４に変換して出力する。ＬＤＯレギュレータ３２４の出力電流は、Ｉ４である。なお、Ｖ１、Ｖ２、Ｖ３、Ｖ４は、互いに異なる電圧値である。Ｉ１、Ｉ２、Ｉ３、Ｉ４は、異なっていてもよいし、同一であってもよい。
【００２０】
ＬＤＯレギュレータ３２１の出力段には、バックトゥバック（Back to Back）接続された２つのＦＥＴ  Ｔｒ１１及びＦＥＴ  Ｔｒ１２からなるスイッチが接続されている。バックトゥバック接続とは、２つのＦＥＴの同じ端子を接続する接続構造である。例えば、図２では、ＦＥＴ  Ｔｒ１１のドレインはＬＤＯレギュレータ３２１の出力段に接続され、ＦＥＴ  Ｔｒ１１のソースはＦＥＴ  Ｔｒ１２のソースに接続されている。また、ＦＥＴ  Ｔｒ１２のドレインは電源供給部３２の出力端子Ｏに接続されている。さらに、ＦＥＴ  Ｔｒ１１とＦＥＴ  Ｔｒ１２のゲートは、制御部３３に接続されている。このようなバックトゥバック接続では、ＦＥＴ  Ｔｒ１１とＦＥＴ  Ｔｒ１２とのボディダイオードの向きは、互いに逆向きになる。
【００２１】
同様に、ＬＤＯレギュレータ３２２の出力段には、バックトゥバック接続された２つのＦＥＴ  Ｔｒ２１及びＦＥＴ  Ｔｒ２２が接続され、ＬＤＯレギュレータ３２３の出力段には、バックトゥバック接続された２つのＦＥＴ  Ｔｒ３１及びＦＥＴ  Ｔｒ３２が接続されている。ＬＤＯレギュレータ３２４の出力段には、バックトゥバック接続された２つのＦＥＴ  Ｔｒ４１及びＦＥＴ  Ｔｒ４２が接続されている。これらのＦＥＴ  Ｔｒ２１及びＦＥＴ  Ｔｒ２２、ＦＥＴ  Ｔｒ３１及びＦＥＴ  Ｔｒ３２、ＦＥＴ  Ｔｒ４１及びＦＥＴ  Ｔｒ４２の接続構造は、ＦＥＴ  Ｔｒ１１及びＦＥＴ  Ｔｒ１２と同一である。
【００２２】
以下、本実施形態における内視鏡電源供給システム１の動作を説明する。例えば、使用者によって筐体装置３の操作部３４の電源がオンされた場合に、内視鏡電源供給システム１の動作は開始される。筐体装置３の電源がオンされると、制御部３３は、通信線２２２ｃを介して内視鏡２のＩＤメモリ２１３から内視鏡２のＩＤ情報を読み取る。そして、読み取ったＩＤ情報から内視鏡２の種別を判定し、判定した種別に応じてスイッチを制御する。
【００２３】
本実施形態においては、内視鏡２の種別毎にその種別の内視鏡２の動作に必要なＬＤＯレギュレータが対応付けされている。制御部３３は、この対応付けに従ってスイッチを制御する。例えば、ＩＤ情報から判定された内視鏡２の種別から、内視鏡２の動作に必要なＬＤＯレギュレータがＬＤＯレギュレータ３２１であると判定した場合に、制御部３３は、ＦＥＴ  Ｔｒ１１及びＦＥＴ  Ｔｒ１２のゲートにゲートオン電圧を印加する。これにより、ＬＤＯレギュレータ３２１で生成された電圧Ｖ１及び電流Ｉ１（電力Ｐ１）は、電源線２２２ａを介して内視鏡２に出力される。この電力Ｐ１に従って、内視鏡２の電子素子、例えば撮像素子２１２は動作する。
【００２４】
なお、ここでは、１つの内視鏡２に対して１つのＬＤＯレギュレータが選択される例が示されている。しかしながら、１つの内視鏡２に対して２つ以上のＬＤＯレギュレータが選択されるように構成されてもよい。例えば、ＩＤ情報から判定された内視鏡２の種別から、内視鏡２の動作に必要なＬＤＯレギュレータがＬＤＯレギュレータ３２１及び３２２であると判定した場合に、制御部３３は、ＦＥＴ  Ｔｒ１１及びＦＥＴ  Ｔｒ１２とＦＥＴ  Ｔｒ２１及びＦＥＴ  Ｔｒ２２のゲートにゲートオン電圧を印加する。
【００２５】
撮像素子２１２は、被検体内を撮像して被検体に関する画像信号を生成する。撮像素子２１２で生成された画像信号は、出力信号線２２２ｂを介して筐体装置３の信号処理部３１に入力される。信号処理部３１は、画像信号に対して信号処理を施す。その後、制御部３３は、信号処理部３１の信号処理の結果として生成された画像をモニタ３５に入力し、モニタ３５による画像の表示を開始させる。これにより、被検体内の画像がモニタ３５に表示される。
【００２６】
以上説明したように本実施形態においては、筐体装置３の電源供給部３２には、単一の電源部ではなく、内視鏡２の種別毎の複数の電源部が設けられている。これにより、筐体装置３は、駆動に必要な電力が異なる複数種別の内視鏡２のそれぞれに対して適切な電力を出力することが可能である。また、内視鏡２の種別毎に電源部が設けられていることにより、可変電圧出力の電源部が不要である。このため、電源部における入力電圧と出力電圧との差を小さくして無駄な発熱を抑えることが可能である。
【００２７】
また、本実施形態においては、複数の電源部の出力切り替えを行うためのスイッチにバックトゥバック接続された２つのＦＥＴが用いられている。ＦＥＴは、リレーに比べて安価である。また、単一のＦＥＴを用いたスイッチでは、ＦＥＴに電流を流すときに、その電流は別のＦＥＴのボディダイオードを介して別の電源部にも流れてしまう。これに対し、本実施形態においては、バックトゥバック接続された２つのＦＥＴによって構成されたスイッチが用いられている。バックトゥバック接続された２つのＦＥＴが用いられることにより、単一のＦＥＴが用いられたときのように、逆電流が別の電源部に流れてしまうことはない。
【００２８】
さらに、逆電流の流入を防止することにより、複数の電源部の出力を１本の電源線２２２ａによって共通化することができる。
【００２９】
前述した実施形態では、ＩＤメモリ２１３からのＩＤ情報を読み取ることによって内視鏡２の種別が判断される。しかしながら、内視鏡２の判断手法は、ＩＤ情報の読み取りに限らない。例えば、内視鏡２に当該内視鏡の種別に対応した固有の抵抗値を持つ抵抗を設け、筐体装置３でこの抵抗値を読み取るよう構成しておくことで、ＩＤメモリ２１３からのＩＤ情報を読み取ることなく、抵抗値の読み取りによって内視鏡２の種別を判定することもできる。
【００３０】
また、本実施形態の場合、電源供給対象となる撮像素子の種別が識別できれば良いので、上述のＩＤメモリ２１３に記録されたＩＤ情報を、内視鏡２に設けられた撮像素子の種別のみを表す情報としても良いし、上述の抵抗値の読み取り方式を採用する場合には、この抵抗値を、撮像素子の種別のみを表す情報としても良い。
【００３１】
［第２の実施形態］
次に、本発明の第２の実施形態について説明する。図３は、本発明の第２の実施形態に係る内視鏡電源供給システムの構成を示すブロック図である。第１の実施形態と同様、第２の実施形態の内視鏡電源供給システム１も、内視鏡２と、筐体装置３とを有している。以下、内視鏡電源供給システム１のそれぞれのブロックについて説明する。ここで、図３において図１と同一のブロックについては、図１と同一の参照符号を付すことで説明を省略する。
【００３２】
第２の実施形態における内視鏡２の挿入部２１は、ＩＤメモリ２１３の代わりに判定部２１４を有している。判定部２１４は、適正電圧値メモリ２１４１を有している。適正電圧値メモリ２１４１は、例えばフラッシュメモリであり、内視鏡２の動作に必要な適正電圧値（又はその範囲）を示す情報を記憶している。また、判定部２１４は、電源線２２２ａに接続されている。このような構成において、判定部２１４は、筐体装置３の電源供給部３２から出力されて内視鏡２に印加された電圧を例えばデジタル化して取り込み、取り込んだ電圧の値と適正電圧値メモリ２１４１に記憶されている適正電圧値とを比較する。そして、判定部２１４は、取り込んだ電圧の値と適正電圧値メモリ２１４１に記憶されている適正電圧値との差が所定値を超えた場合に、適正電圧を出力するように通信線２２２ｃを介して筐体装置３に要求する。
【００３３】
制御部３３は、例えばＦＰＧＡ（Field Programmable Gate Array）で構成され、筐体装置３の動作を制御する。また、制御部３３は、判定部２１４からの要求に従って内視鏡２の電源管理を行う。
【００３４】
次に、電源供給部３２について説明する。図４は、第２の実施形態の電源供給部３２における内視鏡２への電力出力に関する構成を示す図である。第２の実施形態の電源供給部３２も、複数の電源部である複数のＬＤＯレギュレータを有している。図４の例では、電源供給部３２は、４つのＬＤＯレギュレータ４２１、４２２、４２３、４２４を有している。
【００３５】
本実施形態におけるＬＤＯレギュレータは、出力電圧が可変である可変電圧出力ＬＤＯレギュレータである。ＬＤＯレギュレータ４２１は、入力電圧をＶ１１〜Ｖ１ｎの範囲の電圧に変換して出力する。ＬＤＯレギュレータ４２１の出力電流は、Ｉ１１〜Ｉ１ｎの範囲の電流である。ＬＤＯレギュレータ４２２は、入力電圧をＶ２１〜Ｖ２ｎに変換して出力する。ＬＤＯレギュレータ４２２の出力電流は、Ｉ２１〜Ｉ２ｎの範囲の電流である。ＬＤＯレギュレータ４２３は、入力電圧をＶ３１〜Ｖ３ｎの範囲の電圧に変換して出力する。ＬＤＯレギュレータ４２３の出力電流は、Ｉ３１〜Ｉ３ｎの範囲の電圧である。ＬＤＯレギュレータ４２４は、入力電圧をＶ４１〜Ｖ４ｎの範囲の電圧に変換して出力する。ＬＤＯレギュレータ４２４の出力電流は、Ｉ４１〜Ｉ４ｎの範囲の電圧である。なお、Ｖ１１〜Ｖ１ｎ、Ｖ２１〜Ｖ２ｎ、Ｖ３１〜Ｖ３ｎ、Ｖ４１〜Ｖ４ｎは、互いに異なる電圧範囲である。ただし、これらの範囲の一部は重複していてもよい。Ｉ１１〜Ｉ１ｎ、Ｉ２１〜Ｉ２ｎ、Ｉ３１〜Ｉ３ｎ、Ｉ４１〜Ｉ４ｎは、異なっていてもよいし、同一であってもよい。
【００３６】
第１の実施形態と同様、第２の実施形態においても、ＬＤＯレギュレータ４２１の出力段には、バックトゥバック接続された２つのＦＥＴ  Ｔｒ１１及びＦＥＴ  Ｔｒ１２からなるスイッチが接続されている。同様に、ＬＤＯレギュレータ４２２の出力段には、バックトゥバック接続された２つのＦＥＴ  Ｔｒ２１及びＦＥＴ  Ｔｒ２２が接続され、ＬＤＯレギュレータ４２３の出力段には、バックトゥバック接続された２つのＦＥＴ  Ｔｒ３１及びＦＥＴ  Ｔｒ３２が接続されている。ＬＤＯレギュレータ４２４の出力段には、バックトゥバック接続された２つのＦＥＴ  Ｔｒ４１及びＦＥＴ  Ｔｒ４２が接続されている。
【００３７】
以下、本実施形態における内視鏡電源供給システム１の動作を説明する。例えば、使用者によって筐体装置３の操作部３４の電源がオンされた場合に、内視鏡電源供給システム１の動作は開始される。筐体装置３の電源がオンされると、内視鏡２の判定部２１４は、通信線２２２ｃを介して筐体装置３の制御部３３に対して適正電圧値に応じた電力の出力を要求する。制御部３３は、この要求に応じた適正電圧値が電源供給部３２から出力されるようにスイッチを制御する。例えば、要求された適正電圧値がＬＤＯレギュレータ４２１の電圧範囲内である場合に、制御部３３は、ＦＥＴ  Ｔｒ１１及びＦＥＴ  Ｔｒ１２のゲートにゲートオン電圧を印加する。また、制御部３３は、ＬＤＯレギュレータ４２１の出力電圧を要求された適正電圧となるように設定する。このために、制御部３３は、例えば適正電圧を示すアナログ電圧をＬＤＯレギュレータ４２１に入力する。これにより、ＬＤＯレギュレータ４２１で生成された電圧及び電流は、電源線２２２ａを介して内視鏡２に出力される。この電力に従って、内視鏡２の電子素子、例えば撮像素子２１２は動作する。
【００３８】
なお、ここでは、１つの内視鏡２に対して１つのＬＤＯレギュレータが選択される例が示されている。しかしながら、１つの内視鏡２に対して２つ以上のＬＤＯレギュレータが選択されるように構成されてもよい。
【００３９】
撮像素子２１２は、被検体内を撮像して被検体に関する画像信号を生成する。撮像素子２１２で生成された画像信号は、出力信号線２２２ｂを介して筐体装置３の信号処理部３１に入力される。信号処理部３１は、画像信号に対して信号処理を施す。その後、制御部３３は、信号処理部３１の信号処理の結果として生成された画像をモニタ３５に入力し、モニタ３５による画像の表示を開始させる。これにより、被検体内の画像がモニタ３５に表示される。
【００４０】
内視鏡２の動作中、判定部２１４は、筐体装置３の電源供給部３２から出力されて内視鏡２に印加された電圧を例えばデジタル化して取り込み、取り込んだ電圧の値と適正電圧値メモリ２１４１に記憶されている適正電圧値とを比較する。そして、判定部２１４は、取り込んだ電圧の値と適正電圧値メモリ２１４１に記憶されている適正電圧値との差が所定値を超えた場合に、適正電圧を出力するように通信線２２２ｃを介して筐体装置３に要求する。
【００４１】
制御部３３は、この要求に応じた適正電圧値が電源供給部３２から出力されるようにスイッチを制御する。例えば、ケーブル２２の経年劣化による抵抗増加により、内視鏡２に印加される電圧の大きさが適正電圧値を下回っている場合には、制御部３３は、電源供給部３２から出力される電圧を増加させるように制御する。例えば、内視鏡２の印加電圧と適正電圧値との差がＬＤＯレギュレータ４２１の生成可能な電圧の範囲内である場合、制御部３３は、その差の分だけ出力電圧を増加させるようにＬＤＯレギュレータ４２１を設定する。一方、内視鏡２の印加電圧と適正電圧値との差がＬＤＯレギュレータ４２１の生成可能な電圧の範囲外である場合、制御部３３は、別のＬＤＯレギュレータを選択するようにスイッチを制御する。
【００４２】
以上説明したように本実施形態においては、第１の実施形態と同様の効果が得られる。さらに、本実施形態においては、内視鏡２において印加電圧が監視されており、印加電圧の値が適正電圧値ではなくなった場合には、内視鏡２から筐体装置３に対して適正電圧を出力するように要求される。これにより、内視鏡２の経年劣化等による電圧降下が発生したとしても内視鏡２に適正電圧を印加することが可能である。
【００４３】
ここで、第２の実施形態においては、印加電圧が監視されている。これに対し、電圧と電流とを両方検出することにより、内視鏡２に供給されている電力が適正電力であるか否かが監視されるように構成されていてもよい。
【００４４】
以上実施形態に基づいて本発明を説明したが、本発明は前述した実施形態に限定されるものではなく、本発明の要旨の範囲内で種々の変形や応用が可能なことは勿論である。
【００４５】
例えば、前述した各実施形態では、内視鏡２は、撮像素子によって被写体を観察するための像を形成する内視鏡である。しかしながら、本実施形態における「内視鏡」は、このような構成には限定されない。本実施形態における「内視鏡」は、その内部に電子素子を有していればよく、例えば光学式内視鏡(光学視管・ファイバースコープ)であっても、その接眼部にカメラヘッドが接続されるような構成であれば、本実施形態の「内視鏡」に含まれる。また、本実施形態における「内視鏡」は、軟性内視鏡、硬性内視鏡の何れも含むものである。さらに、電子素子は、撮像素子に限るものではない。
【００４６】
また、前述した各実施形態では、筐体装置３は、ビデオプロセッサである。しかしながら、筐体装置３は、ビデオプロセッサでなくてもよい。例えば、筐体装置３は、内視鏡２に対して照明光を供給する光源装置であってもよい。また、筐体装置３は、ビデオプロセッサと光源装置とを一体的に有するものであってもよい。
【００４７】
さらに、前述した実施形態では、電源部は、ＬＤＯレギュレータである。しかしながら、電源部は、ＬＤＯレギュレータには限定されない。例えば、電源部は、ＤＣ−ＤＣコンバータであってもよい。ただし、ＬＤＯレギュレータは、ＤＣ−ＤＣコンバータよりもリップルノイズを低減することができる。
【図１】
2016208685.tif 000003
【図２】
2016208685.tif 000004
【図３】
2016208685.tif 000005
【図４】
2016208685.tif 000006
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
被写体を撮像する撮像部を備える内視鏡と、
前記内視鏡が着脱自在に接続される筐体装置と、
前記筐体装置に設けられ、出力可能な電力が互いに異なる複数の電源部と、
前記筐体装置における前記複数の電源部の出力段のそれぞれに設けられ、２つのＦＥＴにおける同じ端子を接続したバックトゥバック接続により構成される複数のスイッチと、
前記筐体装置内において前記複数のスイッチを介して出力される電力が共通化されるとともに、前記筐体装置から前記内視鏡に対して当該共通化された出力を供給する共通電源線と、
前記筐体装置に設けられ、複数の電源部の中から前記内視鏡の動作に必要な電源部を選択し、選択した電源部において生成される電力が前記内視鏡に向けて出力されるように前記複数のスイッチを制御する制御部と、
を具備する内視鏡電源供給システム。
【請求項２】
前記内視鏡に設けられ、前記内視鏡の種別の情報を記憶した情報メモリをさらに具備し、
前記制御部は、前記種別の情報に応じて前記複数の電源部の中から前記内視鏡の動作に必要な電力を出力するのに必要な電源部を選択することを特徴とする請求項１に記載の内視鏡電源供給システム。
【請求項３】
前記情報メモリは、前記内視鏡に設けられた前記撮像部を構成する撮像素子の種別を表す情報を記憶していることを特徴とする請求項２に記載の内視鏡電源供給システム。
【請求項４】
前記内視鏡は、前記内視鏡の種別に対応した抵抗値を有する抵抗をさらに備え、
前記筐体装置は、前記抵抗の抵抗値を読み取り、該読み取った抵抗値に応じて前記複数の電源部の中から前記内視鏡の動作に必要な電力を出力するのに必要な電源部を選択することを特徴とする請求項１に記載の内視鏡電源供給システム。
【請求項５】
前記抵抗は、前記内視鏡に設けられた前記撮像部を構成する撮像素子の種別に対応した抵抗値であることを特徴とする請求項４に記載の内視鏡電源供給システム。
【請求項６】
前記内視鏡に設けられ、前記共通電源線から供給された電力が前記内視鏡の動作に対する適正電力であるかを判定する判定部と、
前記判定部において、前記共通電源線から供給された電力が前記内視鏡の動作に対する適正電力でないと判定した場合に前記筐体装置に対して適正電力を出力するように要求するための通信線と、
をさらに具備し、
前記制御部は、前記要求に応じて前記複数の電源部の中から適正電力を出力する電源部を選択することを特徴とする請求項１に記載の内視鏡電源供給システム。
【請求項７】
前記判定部は、前記共通電源線から供給された電圧を取り込むとともに予め記憶されている適正電圧値と比較を行い、前記取り込んだ電圧と前記適正電圧値との差が所定値を超えた場合に前記通信線を介して前記適正電力の出力の要求を行うことを特徴とする請求項６に記載の内視鏡電源供給システム。
【請求項８】
前記複数の電源部のそれぞれは可変レギュレータであることを特徴とする請求項１に記載の内視鏡電源供給システム。
【請求項９】
前記複数の電源部のそれぞれは、ＬＤＯレギュレータであることを特徴とする請求項１に記載の内視鏡電源供給システム。
【手続補正２】
【補正対象書類名】明細書
【補正対象項目名】０００５
【補正方法】変更
【補正の内容】
【０００５】
前記の目的を達成するために、本発明の一態様の内視鏡電源供給システムは、被写体を撮像する撮像部を備える内視鏡と、前記内視鏡が着脱自在に接続される筐体装置と、前記筐体装置に設けられ、出力可能な電力が互いに異なる複数の電源部と、前記筐体装置における前記複数の電源部の出力段のそれぞれに設けられ、２つのＦＥＴにおける同じ端子を接続したバックトゥバック接続により構成される複数のスイッチと、前記筐体装置内において前記複数のスイッチを介して出力される電力が共通化されるとともに、前記筐体装置から前記内視鏡に対して当該共通化された出力を供給する共通電源線と、前記筐体装置に設けられ、複数の電源部の中から前記内視鏡の動作に必要な電源部を選択し、選択した電源部において生成される電力が前記内視鏡に向けて出力されるように前記複数のスイッチを制御する制御部とを具備する。
【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
被写体を撮像する撮像部及びケーブルを備える内視鏡と、
前記内視鏡に対して前記ケーブルを介して着脱自在に接続される筐体装置と、
前記筐体装置に設けられ、出力可能な電力が互いに異なる複数の電源部と、
前記筐体装置における前記複数の電源部の出力段のそれぞれに設けられ、２つのＦＥＴにおける同じ端子を接続したバックトゥバック接続により構成される複数のスイッチと、
前記筐体装置内において前記複数のスイッチを介して出力される電力が共通化されるとともに、前記筐体装置から前記内視鏡に対して当該共通化された出力を供給する共通電源線と、
前記内視鏡内に設けられ、前記共通電源線から供給された電力が前記内視鏡の動作に対する適正電力であるかを判定する判定部と、
前記判定部において前記共通電源線から供給された電力が前記内視鏡の動作に対する適正電力でないと判定した場合、前記内視鏡から前記筐体装置に対して適正電力を出力するように要求するための通信線と、
前記筐体装置に設けられ、前記通信線を介して入力された適正電力の要求に応じて前記複数の電源部の中から電源部を選択し、選択した電源部において生成される電力が前記内視鏡に向けて出力されるように前記複数のスイッチを制御する制御部と、
を具備する内視鏡システム。
【請求項２】
前記内視鏡に設けられ、前記内視鏡の種別の情報を記憶した情報メモリをさらに具備し、
前記制御部は、前記種別の情報に応じて前記複数の電源部の中から前記内視鏡の動作に必要な電力を出力するのに必要な電源部を選択することを特徴とする請求項１に記載の内視鏡システム。
【請求項３】
前記情報メモリは、前記内視鏡に設けられた前記撮像部を構成する撮像素子の種別を表す情報を記憶していることを特徴とする請求項２に記載の内視鏡システム。
【請求項４】
前記内視鏡は、前記内視鏡の種別に対応した抵抗値を有する抵抗をさらに備え、
前記筐体装置は、前記抵抗の抵抗値を読み取り、該読み取った抵抗値に応じて前記複数の電源部の中から前記内視鏡の動作に必要な電力を出力するのに必要な電源部を選択することを特徴とする請求項１に記載の内視鏡システム。
【請求項５】
前記抵抗は、前記内視鏡に設けられた前記撮像部を構成する撮像素子の種別に対応した抵抗値であることを特徴とする請求項４に記載の内視鏡システム。
【請求項６】
前記判定部は、前記共通電源線から供給された電圧を取り込むとともに予め記憶されている適正電圧値と比較を行い、前記取り込んだ電圧と前記適正電圧値との差が所定値を超えた場合に前記通信線を介して前記適正電力の出力の要求を行うことを特徴とする請求項１に記載の内視鏡システム。
【請求項７】
前記複数の電源部のそれぞれは可変レギュレータであることを特徴とする請求項１に記載の内視鏡システム。
【請求項８】
前記複数の電源部のそれぞれは、ＬＤＯレギュレータであることを特徴とする請求項１に記載の内視鏡システム。
【手続補正３】
【補正対象書類名】明細書
【補正対象項目名】０００１
【補正方法】変更
【補正の内容】
【０００１】
本発明は、内視鏡システムに関する。
【手続補正４】
【補正対象書類名】明細書
【補正対象項目名】０００４
【補正方法】変更
【補正の内容】
【０００４】
本発明は、前記の事情に鑑みてなされたもので、複数の電源を有する内視鏡システムにおいて、最適な構成で電源の選択をすることが可能な内視鏡システムを提供することを目的とする。
【手続補正５】
【補正対象書類名】明細書
【補正対象項目名】０００５
【補正方法】変更
【補正の内容】
【０００５】
前記の目的を達成するために、本発明の一態様の内視鏡システムは、被写体を撮像する撮像部及びケーブルを備える内視鏡と、記内視鏡に対して前記ケーブルを介して着脱自在に接続される筐体装置と、前記筐体装置に設けられ、出力可能な電力が互いに異なる複数の電源部と、前記筐体装置における前記複数の電源部の出力段のそれぞれに設けられ、２つのＦＥＴにおける同じ端子を接続したバックトゥバック接続により構成される複数のスイッチと、前記筐体装置内において前記複数のスイッチを介して出力される電力が共通化されるとともに、前記筐体装置から前記内視鏡に対して当該共通化された出力を供給する共通電源線と、前記内視鏡内に設けられ、前記共通電源線から供給された電力が前記内視鏡の動作に対する適正電力であるかを判定する判定部と、前記判定部において前記共通電源線から供給された電力が前記内視鏡の動作に対する適正電力でないと判定した場合、前記内視鏡から前記筐体装置に対して適正電力を出力するように要求するための通信線と、前記筐体装置に設けられ、前記通信線を介して入力された適正電力の要求に応じて前記複数の電源部の中から電源部を選択し、選択した電源部において生成される電力が前記内視鏡に向けて出力されるように前記複数のスイッチを制御する制御部とを具備する。
【国際調査報告】
2016208685.tif 000007
2016208685.tif 000008
2016208685.tif 000009
2016208685.tif 000010